(57)【要約】【課題】従来のインスタントメッセージシステムにおける表情記号と文字情報が同時に存在するために文字情報が読解され難い問題を解決することを目的とする、個人的対象体を備えるインスタントメッセージシステム及びその方法を提供する。【解決手段】この個人的対象体を備えるインスタントメッセージシステム及びその方法においては、文字情報と個人的対象体とを分離させるとともに、上記文字情報に感情用語があるかどうかを判定することにより、個人的対象体の表情画像を選択して上記個人的対象体に表示する。これにより、文字情報の読解に影響せずに、入力された文字情報と個人的対象体の表情画像とが分離される効果が達成される。【選択図】図１
2009064418.tif 000002
【特許請求の範囲】
【請求項１】
送信側と受信側との間のインスタントメッセージに適用される、個人的対象体を備えるインスタントメッセージ方法において、
前記送信側から入力された文字情報を受信する工程と、
感情用語類別情報に基づいて前記文字情報に感情用語があるかどうかを判定する工程と、
前記文字情報に前記感情用語がある場合、前記感情用語類別情報に基づいて個人的対象体の状態を選択する工程と、
前記個人的対象体の状態に基づいて個人的対象体の表情画像から一つを選択する工程と、
前記送信側と前記受信側との前記個人的対象体においてそれぞれ前記文字情報と前記個人的対象体の表情画像を表示する工程と
を含むことを特徴とする個人的対象体を備えるインスタントメッセージ方法。
【請求項２】
前記送信側／前記受信側を起動してネットワークを介して更新管理サーバに接続する工程と、
前記更新管理サーバに更新ファイルがあるかどうかを調べる工程と、
前記更新管理サーバに前記更新ファイルがある場合、ネットワークを介して前記更新ファイルを前記送信側／前記受信側にダウンロードする工程と、
前記送信側／前記受信側の内容と前記更新ファイルの内容を一つずつ対比し、異なった項目を前記更新ファイルから前記送信側／前記受信側に書き込み、自動更新を完成させる工程と
を含む更新管理工程をさらに含むことを特徴とする請求項１に記載の個人的対象体を備えるインスタントメッセージ方法。
【請求項３】
前記更新ファイルから前記送信側／前記受信側に書き込む工程は、さらに、
感情用語類別情報が新たに増加されたかどうかを判定する工程と、
感情用語類別情報が新たに増加された場合、前記感情用語類別情報の名称を前記送信側／前記受信側に書き込む工程と、
前記感情用語類別情報の名称に含まれた前記感情用語を前記送信側／前記受信側に書き込む工程と、
前記感情用語類別情報に含まれた前記個人的対象体の状態と前記個人的対象体の表情画像を前記送信側／前記受信側に書き込む工程と
を含むことを特徴とする請求項２に記載の個人的対象体を備えるインスタントメッセージ方法。
【請求項４】
個人的対象体の表情画像から一つを選択する工程は、さらに、前記感情用語解析モジュールは前記個人的対象体の表情画像を前記受信側に送信して、前記受信側は前記個人的対象体の表情画像を表示する工程を含むことを特徴とする請求項１に記載の個人的対象体を備えるインスタントメッセージ方法。
【請求項５】
個人的対象体の表情画像から一つを選択する工程は、さらに、前記感情用語解析モジュールは前記個人的対象体の表情画像に対応するシリアル番号を前記受信側に送信して、前記受信側は前記個人的対象体の表情画像を表示する工程を含むことを特徴とする請求項１に記載の個人的対象体を備えるインスタントメッセージ方法。
【請求項６】
送信側と受信側との間のインスタントメッセージに適用される、個人的対象体を備えるインスタントメッセージシステムにおいて、
前記送信側は、
前記送信側から入力された文字情報を受信する入力モジュールと、
少なくとも１種の感情用語類別情報に基づいて前記文字情報に感情用語があるかどうかを判定する感情用語解析モジュールであって、前記感情用語類別情報に基づいて個人的対象体の状態を選択し、前記個人的対象体の状態に基づいて個人的対象体の表情画像から一つを選択する感情用語解析モジュールと、
前記送信側の個人的対象体と前記受信側の前記個人的対象体を前記送信側に表示する表示モジュールであって、前記文字情報に前記感情用語がある場合、前記送信側と前記受信側との前記個人的対象体においてそれぞれ前記文字情報と前記個人的対象体の表情画像を表示する表示モジュールと
を含むことを特徴とする個人的対象体を備えるインスタントメッセージシステム。
【請求項７】
前記送信側は、さらに、前記送信側を起動してネットワークを介して更新管理サーバに接続し、前記更新管理サーバに更新ファイルがあるかどうかを調べ、前記更新管理サーバに前記更新ファイルがある場合、ネットワークを介して前記更新ファイルを前記送信側または前記受信側にダウンロードし、前記送信側または前記受信側の内容と前記更新ファイルの内容を一つずつ対比し、異なった項目を前記更新ファイルから前記送信側に書き込み、自動更新を完成させる更新管理モジュールを含み、
前記更新ファイルの内容は、前記感情用語類別情報と、前記感情用語と、前記個人的対象体の状態と、前記個人的対象体の表情画像とを含む
ことを特徴とする請求項６に記載の個人的対象体を備えるインスタントメッセージシステム。
【請求項８】
前記感情用語解析モジュールは、さらに、前記個人的対象体の表情画像から一つを選択した後、前記個人的対象体の表情画像を前記受信側に送信する
ことを特徴とする請求項６に記載の個人的対象体を備えるインスタントメッセージシステム。
【請求項９】
前記感情用語解析モジュールは、さらに、前記個人的対象体の表情画像から一つを選択した後、前記個人的対象体の表情画像に対応するシリアル番号を前記受信側に送信する
ことを特徴とする請求項６に記載の個人的対象体を備えるインスタントメッセージシステム。
【請求項１０】
前記入力モジュールはさらに前記文字情報を入力する入力領域を含み、前記表示モジュールはさらに前記文字情報を表示する表示領域を含み、前記入力領域と前記表示領域は、積み重ねないように前記個人的対象体のまわりに表示される
ことを特徴とする請求項６に記載の個人的対象体を備えるインスタントメッセージシステム。
【発明の詳細な説明】
【技術分野】
【０００１】
本発明は、インスタントメッセージシステム及びその方法に関し、特に、表情記号と文字情報とを分離して示す個人的対象体（ｐｅｒｓｏｎａｌｉｚｅｄ ｏｂｊｅｃｔ）を備えるインスタントメッセージシステム及びその方法に関するものである。
【背景技術】
【０００２】
電子通信の急速な発展に伴い、現代社会における人と人の間での友人作りのためのチャット方法は、最初の手紙のやりとりから電話通信へと変化するようになった。現在、ネットワークの適用による便利さのため、インスタントメッセージは、次第に人と人の間での友人作りのためのチャット方法になってきたので、ネットワークに接続可能な機器はずべて、ユーザがチャットするためのインスタントメッセージソフトを備えるようになった。
【０００３】
従来のインスタントメッセージソフトにおいては、Ｍｉｒａbｉlｉｓ社により開発されたＩＣＱが最も早いが、Ｍｉｃｒｏｓｏfｔ社により開発されたＷｉｎdｏｗｓ（登録商標） Ｌｉｖｅ Ｍｅｓｓｅｎｇｅｒ（ＭＳＮ）と、ＫａＺａＡの開発者により開発されたＳｋｙｐｅが最も代表的である。ＭＳＮは、ユーザから入力された文字情報を受信側へ送信するように受信を行うが、その中で、送信側はネットワークを介して文字情報をリアルタイムに送信する。
【０００４】
会話のことをより活発にするために、ユーザが表したい感情的な表情を伝えるための、最初の簡単な画像記号から現在の動画図形記号までの、インスタントメッセージソフトに必要な表情記号が現れてきた。しかし、このような動画図形記号は単なる感情記号の標記に過ぎず、そして、ユーザが会話中にいずれかの表情記号を挿入したい場合、挿入位置をクリックしたり、適当な表情記号を探したりする必要があるので、操作が非常に不便である上に時間もかかる。
【０００５】
動画図形記号の挿入について、ＭＳＮとＳｋｙｐｅは、リストにおける表情記号のそれぞれに対して特定の入力用語を設定するような簡単な方法を開発した。従って、ユーザが入力する時、特定の入力用語を入力するだけで、表情記号を挿入することができるので、表情記号の使用方法が簡略化にされ、入力が便利になり、時間も節約される。
【０００６】
しかし、表情記号で特定の入力用語を置き換えて表示するため、入力された文字情報の読解に影響を与える他の問題点が発生し、文字情報の読解に非常に不便である。
【０００７】
従来のインスタントメッセージソフトにおける、表示する時の特定の入力用語の置き換えによる問題点を鑑みて、改良された表情記号の入力及び表示の方法が求められている。文字情報を入力する途中、表情記号で特定の入力用語を置き換えるために文字情報の読解に影響を与える問題を、如何に解決すればいいか、というのも、当業者にとって重要な課題である。
【発明の開示】
【発明が解決しようとする課題】
【０００８】
本発明は、以上の背景技術に述べたような、従来のインスタントメッセージソフトにおける文字情報に表情記号が同時に存在するために文字情報が読解し難い問題が解決できない現状を鑑みて、文字情報に表情記号が同時に存在するために文字情報が読解され難い問題が解決できる、個人的対象体を備えるインスタントメッセージシステム及びその方法を提供することを目的とする。
【課題を解決するための手段】
【０００９】
本発明にかかる個人的対象体を備えるインスタントメッセージ方法は、送信側と受信側との間のインスタントメッセージに適用されるが、送信側から入力された文字情報を受信する工程と、少なくとも１種の感情用語類別情報に基づいて文字情報に感情用語があるかどうかを判定する工程と、文字情報に感情用語がある場合、感情用語類別情報に基づいて個人的対象体の状態を選択する工程と、上記個人的対象体の状態に基づいて個人的対象体の表情画像から一つを選択する工程と、送信側と受信側との個人的対象体においてそれぞれ文字情報と個人的対象体の表情画像を表示する工程とを含む。
【００１０】
本発明にかかる個人的対象体を備えるインスタントメッセージシステムは、送信側と受信側との間のインスタントメッセージに適用されるが、上記送信側は、送信側から入力された文字情報を受信する入力モジュールと、少なくとも１種の感情用語類別情報に基づいて文字情報に感情用語があるかどうかを判定する感情用語解析モジュールであって、文字情報に感情用語がある場合、感情用語類別情報に基づいて個人的対象体の状態を選択し、この個人的対象体の状態に基づいて個人的対象体の表情画像から一つを選択する感情用語解析モジュールと、送信側の個人的対象体と受信側の個人的対象体を送信側に表示する表示モジュールであって、文字情報に感情用語がある場合、送信側と受信側との個人的対象体においてそれぞれ文字情報と個人的対象体の表情画像を表示する表示モジュールとを含む。
【００１１】
本発明にかかる個人的対象体を備えるインスタントメッセージシステム及びその方法によれば、インスタントメッセージの機能の起動及び個人的対象体の表示により、文字情報と個人的対象体とを分離させ、従来の表情記号の代わりに、いきいきとした個人的対象体の表情画像で個人的対象体を表示するので、文字情報に表情記号が同時に存在するために文字情報が読解され難い問題が解決される。また、文字情報に感情用語があるかどうかを判定することにより、特別なキーワードを入力して表情記号を起動することなく、個人的対象体の表情画像が選択されるので、入力の操作が簡単になり、文字情報の読解に影響せずに、入力された文字情報と個人的対象体の表情画像が分離される効果が達成される。
【００１２】
本発明のさらなる適用範囲は、後述する詳細な記載によって明らかになる。しかし、この詳細な記載及び具体的な例は、本発明の好適な実施形態を示すものであり、例示として記載されるものだけであることが理解されるべきである。これは、当業者はこの詳細な記載によれば、本発明の精神及び適用範囲における様々な変更及び修正が明らかに分かるからである。
【００１３】
本発明は以下の実施形態により、さらに十分に理解されるが、上記実施形態は説明のために提供されるものだけであり、本発明を限定するものではない。
【発明を実施するための最良の形態】
【００１４】
本発明は、送信側と受信側との間のインスタントメッセージに適用され、説明の便宜上、送信側から受信側までの方向で実施形態を説明するが、実際には、送信側と受信側を互いに交換してもよく、すなわち、送信側は受信側であり、受信側は送信側であってもよい。
【００１５】
図１は本発明にかかる個人的対象体を備えるインスタントメッセージシステムを示すブロック図である。図１に示すように、本発明にかかる個人的対象体を備えるインスタントメッセージシステムは、送信側１０と受信側２０との間のインスタントメッセージに適用されるが、上記送信側１０は、送信側１０から入力された文字情報を受信する入力モジュール１１と、入力モジュール１１から送信された文字情報を受け取り、少なくとも１種の感情用語類別情報に基づいて上記文字情報に感情用語があるかどうかを判定する感情用語解析モジュールであって、上記文字情報に感情用語がある場合、感情用語類別情報に基づいて個人的対象体の状態を選択し、この個人的対象体の状態に基づいて個人的対象体の表情画像から一つを選択するが、上記文字情報に感情用語がない場合、文字情報の解析を行わない感情用語解析モジュール１２と、送信側１０の個人的対象体と受信側２０の個人的対象体を送信側１０に表示し、また送信側１０と受信側２０との個人的対象体においてそれぞれ文字情報と個人的対象体の表情画像を表示する表示モジュール１３とを含む。上記送信側１０と受信側２０とは、ネットワーク７０１を介して両端間のインスタントメッセージ通信を行い、文字情報と個人化表情画像を送受信する。
【００１６】
上記受信側２０は、受信側２０に入力された文字情報を受信する入力モジュール２１と、入力モジュール２１から伝送されたテキストメッセージを受け取り、少なくとも１種の情緒用語分類情報に基づいて当該テキストメッセージに情緒用語があるかどうかを判定する感情用語解析モジュールであって、上記文字情報に感情用語がある場合、感情用語類別情報に基づいて個人的対象体の状態を選択し、この個人的対象体の状態に基づいて個人的対象体の表情画像から一つを選択する感情用語解析モジュール２２と、受信側２０の個人的対象体と送信側１０の個人的対象体を受信側２０に表示し、また送信側１０と受信側２０との個人的対象体においてそれぞれ文字情報と個人的対象体の表情画像を表示する表示モジュール２３とを含む。上記送信側１０と上記受信側２０は同様なモジュールを含み、上記同様なモジュールは同様なことを実行する。従って、上記送信側１０と上記受信側２０とは互いに交換されてもよく、すなわち、上記送信側１０は上記受信側２０であり、受信側２０は送信側１０であってもよいことが明らかに分かる。
【００１７】
上記した感情用語類別情報は、会話における感情形容詞を区分するものであり、例えば、「愉快類」と、「憂鬱類」と、「一般類」とに区分してもよい。個人的対象体の状態は感情用語類別情報に１対１対応しており、個人的対象体の表情画像を決定するものである。個人的対象体の表情画像は個人的対象体に表示される画像で、個人的対象体の状態のそれぞれは、複数の個人的対象体の表情画像に対応してもよい。図３Ａ〜図３Ｃを参照すると、感情用語類別情報、個人的対象体の状態及び個人的対象体の表情画像をさらに理解することができる。
【００１８】
図２は本発明にかかる個人的対象体を備えるインスタントメッセージ方法を示すフローチャートである。本発明にかかる個人的対象体を備えるインスタントメッセージ方法は、送信側１０と受信側２０との間のインスタントメッセージに適用されるが、送信側１０に入力された文字情報を受信する工程（工程１００）と、少なくとも１種の感情用語類別情報に基づいて文字情報に感情用語があるかどうかを判定する工程（工程２００）と、文字情報に感情用語がある場合、感情用語類別情報に基づいて個人的対象体の状態を選択する工程（工程３００）と、上記個人的対象体の状態に基づいて個人的対象体の表情画像から一つを選択する工程（工程４００）と、送信側１０と受信側２０の個人的対象体においてそれぞれ文字情報と個人的対象体の表情画像を表示する工程（工程５００）とを含む。文字情報に感情用語がない場合、送信側１０に入力された文字情報を受信する工程（工程１００）に戻る。
【００１９】
図３Ａ、図３Ｂ及び図３Ｃに示すように、図３Ａは本発明にかかる感情用語類別情報と感情用語との対応を示す図であり、図３Ｂは本発明にかかる感情用語類別情報と個人的対象体の状態との対応を示す図であり、図３Ｃは本発明にかかる個人的対象体の状態と個人的対象体の表情画像との対応を示す図である。
【００２０】
上述した感情用語類別情報、個人的対象体の状態及び個人的対象体の表情画像の選択は、送信側１０から入力された感情用語を有する文字情報を、感情用語類別情報、個人的対象体の状態及び個人的対象体の表情画像に変換することにより行われる。上記変換は、データベースを介して感情用語類別情報と感情用語との対応、感情用語類別情報と個人的対象体の状態との対応、及び個人的対象体の状態と個人的対象体の表情画像との対応という三つの対応関係を予め設立することにより達成されるが、実際には、データベースの対応の方法と内容は、本発明に開示された内容に限定されない。
【００２１】
まず、感情用語類別情報３１と感情用語３２との対応工程について説明する。感情用語解析モジュール１２が送信側１０から入力された文字情報を受け取ったと、上記感情用語解析モジュール１２は図３Ａに示す感情用語類別情報と感情用語との対応表により、少なくとも１種の感情用語類別情報３１に基づいて、この文字情報に感情用語３２があるかどうかを判定する。文字情報の内容に「ハハ」、「楽しい」、「いい」などの感情用語３２がある場合、この文字情報は感情用語類別情報３１の「愉快類」に属し、文字情報の内容に「うっとうしい」、「悪い」、「悲しい」などの感情用語３２がある場合、この文字情報は感情用語類別情報３１の「憂鬱類」に属し、文字情報にいずれの感情用語３２もない場合、この文字情報は感情用語類別情報３１の「一般類」に属する。
【００２２】
次に、感情用語類別情報３１と個人的対象体の状態３３との対応工程について説明する。この場合、図３Ｂに示す感情用語類別情報と個人的対象体の状態との対応表を利用する。上記感情用語解析モジュール１２は、選択された感情用語類別情報３１に基づいて個人的対象体の状態３３を選択する。選択された感情用語類別情報３１が「愉快類」に属する場合、対応する個人的対象体の状態３３は「第２の状態」であり、選択された感情用語類別情報３１が「憂鬱類」に属する場合、対応する個人的対象体の状態３３は「第３の状態」であり、選択された感情用語類別情報３１が「一般類」に属する場合、対応する個人的対象体の状態３３は「第１の状態」である。
最後に、個人的対象体の状態３３と個人的対象体の表情画像３４との対応工程が実行される。この場合、図３Ｃに示す個人的対象体の状態と個人的対象体の表情画像との対応表を利用する。上記感情用語解析モジュール１２は選択された個人的対象体の状態３３に基づいて、個人的対象体の表情画像３４から一つを選択する。個人的対象体の状態３３が「第２の状態」であると、個人的対象体の表情画像３４における「第１の画像」、「第２の画像」及び「第３の画像」から一つを選択する。個人的対象体の状態３３の「第３の状態」及び「第１の状態」の選択方法については、前記と同様なので、ここで詳細な説明を省略する。
【００２３】
次に、図４Ａと図４Ｂを参照して、一実施形態により本発明の動作モードとプロセスについて説明する。図４Ａと図４Ｂは本発明にかかる送信側と受信側の動作状態を模式的に示す図である。図４Ａに示すように、送信側１０に送信側の個人的対象体４１と受信側の個人的対象体４２が表示されているとともに、受信側２０にも送信側個人的対象体４１と受信側個人的対象体４２が表示されている。これにより、インスタントメッセージを行う場合の初期化状態が設立される。このため、送信側の個人的対象体４１と受信側の個人的対象体４２の個人的対象体の状態３３は上記初期化状態においていずれの感情用語も備えておらず、この送信側の個人的対象体４１と受信側の個人的対象体４２の個人的対象体の状態３３は「第１の状態」に属する。「第１の状態」に基づいて選択された個人的対象体の表情画像３４は「第１の画像」である。個人的対象体４１のまわりに文字情報４３の入力用の入力領域４４が備えられ、入力し終わった後、「確認」（すなわち、キーボードにおけるＥｎｔｅｒキー）を押して、上記文字情報４３の入力を完成させる。
【００２４】
送信側１０から「ハハ、今日は気持ちいいね」という文字情報４３が入力されたと、感情用語解析モジュール１２は感情用語類別情報と感情用語との対応表に基づいて、文字情報４３に「ハハ」という感情用語３２があると判定する。このため、感情用語解析モジュール１２は感情用語類別情報３１として「愉快類」を選択し、個人的対象体の状態３３として「第２の状態」を選択して、さらにこの個人的対象体の状態３３である「第２の状態」に基づいて個人的対象体の表情画像３４を選択する。この実施形態においては、「第１の画像」が個人的対象体の表情画像３４として選択される。
【００２５】
感情用語解析モジュール１２が判定して個人的対象体の表情画像３４を選択したと、表示モジュール１３は、送信側１０における送信側の個人的対象体４１と受信側２０における送信側の個人的対象体４１の周りに文字情報４３を表示する。文字情報４３を表示する表示領域４５が備えられている。送信側１０における送信側の個人的対象体４１と受信側２０における送信側の個人的対象体４１は、図４Ｂに示すように、選択された個人的対象体の表情画像３４に基づいて更新されて表示される。
【００２６】
感情用語解析モジュール１２が個人的対象体の表情画像３４から一つを選択したと、送信側１０は個人的対象体の表情画像３４を受信側２０に送信し、受信側２０は個人的対象体の表情画像３４と文字情報４３を表示する。または、感情用語解析モジュール１２が個人的対象体の表情画像３４から一つを選択したと、送信側１０は個人的対象体の表情画像３４に対応するシリアル番号を受信側２０に送信し、受信側２０は個人的対象体の表情画像３４と文字情報４３を表示する。
【００２７】
また、本システムは、さらに、更新管理の機能を備えている。本発明にかかる更新管理システムのブロック図を図５に示す。元のシステムのブロック図と比較すると、送信側１０と受信側２０においてそれぞれ更新管理モジュール５１と更新管理モジュール５２が増加された点で相違している。上記更新管理モジュール５１はネットワーク７０１を介して更新管理サーバ６０に接続されている。上記更新管理モジュール５１はまず、更新管理サーバ６０に更新ファイルがあるかどうかを確認する。更新ファイルがある場合、上記更新管理モジュール５１はこの更新ファイルを送信側１０にダウンロードする。上記更新管理モジュール５１は、送信側１０における感情用語類別情報３１、感情用語３２、個人的対象体の状態３３及び個人的対象体の表情画像３４と、更新ファイルにおける感情用語類別情報３１、感情用語３２、個人的対象体の状態３３及び個人的対象体の表情画像３４との間に違いがあるかどうかを一つずつ対比する。違いがある場合、違いのあるデータベース内容を更新ファイルから送信側１０に書き込み、自動更新管理を完成させる。
【００２８】
受信側２０の更新管理モジュール５２は、ネットワーク７０１を介して更新管理サーバ６０に接続されている。更新管理モジュール５２はまず、更新管理サーバ６０に更新ファイルがあるかどうかを確認する。更新ファイルがある場合、更新管理モジュール５２はこの更新ファイルを受信側２０にダウンロードする。上記更新管理モジュール５２は、受信側２０における感情用語類別情報３１、感情用語３２、個人的対象体の状態３３及び個人的対象体の表情画像３４と、更新ファイルにおける感情用語類別情報３１、感情用語３２、個人的対象体の状態３３及び個人的対象体の表情画像３４との間に違いがあるかどうかを一つずつ対比する。違いがある場合、違いのあるデータベース内容を更新ファイルから受信側２０に書き込み、自動更新管理を完成させる。
【００２９】
図６には、対応する更新管理工程のフローチャートを示す。図６は本発明にかかる更新管理工程を示すフローチャートである。更新管理工程は、送信側１０／受信側２０を起動してネットワークを介して更新管理サーバ６０に接続する工程（工程７１０）と、更新管理サーバ６０に更新ファイルがあるかどうかを調べる工程（工程７２０）と、更新管理サーバ６０に更新ファイルがある場合、ネットワークを介してこの更新ファイルを送信側１０／受信側２０にダウンロードする工程（工程７３０）と、送信側１０／受信側２０と更新ファイルとの内容を一つずつ対比し、異なった項目を更新ファイルから送信側１０／受信側２０に書き込み、自動更新を完成させる工程（工程７４０）と、送信側１０／受信側２０は上記送信側１０／受信側２０にダウンロードされた更新ファイルを削除し、更新管理サーバ６０からログアウトして自動更新を終了する工程（工程７５０）とを含む。上記更新ファイルの内容は、少なくとも感情用語類別情報３１と、感情用語３２と、個人的対象体の状態３３と、個人的対象体の表情画像３４とを含む。図７は本発明にかかるファイル書き込み工程を示すフローチャートである。図７に示すように、上述した更新ファイルから送信側１０／受信側２０に書き込む工程（工程７４０）は、感情用語類別情報が新たに増加されたかどうかを判定する工程（工程８１０）と、感情用語類別情報が新たに増加された場合、感情用語類別情報の名称を送信側１０／受信側２０に書き込む工程（工程８２０）と、感情用語類別情報の名称に含まれた感情用語を送信側１０／受信側２０に書き込む工程（工程８３０）と、感情用語類別情報に含まれた個人的対象体の状態と個人的対象体の表情画像を送信側１０／受信側２０に書き込む工程（工程８４０）と、データを記憶して書き込みを終了する工程（工程８５０）とを含む。
【００３０】
上述した個人的対象体を備えるインスタントメッセージシステム及びその方法によれば、インスタントメッセージの機能の起動及び個人的対象体の表示により、文字情報と個人的対象体とを分離させ、従来の表情記号の代わりに、いきいきとした個人的対象体の表情画像で個人的対象体を表示するので、文字情報に表情記号が同時にあるために文字情報が読解され難い問題が解決される。また、文字情報に感情用語があるかどうかを判定することにより、特別なキーワードを入力して表情記号を起動することなく、個人的対象体の表情画像が選択されるので、入力の操作が簡単になり、文字情報の読解に影響せずに、入力された文字情報と個人的対象体の表情画像が分離される効果が達成される。
【００３１】
以上のように本発明を説明したが、本発明は様々な方法で変更可能であることが明らかである。このような変更は、本発明の精神及び適用範囲から逸脱したものと考えるべからず、全て特許請求の範囲に含まれることは、当業者に明らかなことである。
【図面の簡単な説明】
【００３２】
【図１】本発明にかかる個人的対象体を備えるインスタントメッセージシステムを示すブロック図である。
【図２】本発明にかかる個人的対象体を備えるインスタントメッセージ方法を示すフローチャートである。
【図３Ａ】本発明にかかる感情用語類別と感情用語との対応を示す図である。
【図３Ｂ】本発明にかかる感情用語類別と個人的対象体の状態との対応を示す図である。
【図３Ｃ】本発明にかかる個人的対象体の状態と個人的対象体の表情画像との対応を示す図である。
【図４Ａ】本発明の送信側と受信側の動作状態を模式的に示す図である。
【図４Ｂ】本発明の送信側と受信側の動作状態を模式的に示す図である。
【図５】本発明にかかる更新管理システムを示すブロック図である。
【図６】本発明にかかる更新管理工程を示すフローチャートである。
【図７】本発明にかかるファイル書き込み工程を示すフローチャートである。
【図１】
2009064418.tif 000003
【図２】
2009064418.tif 000004
【図３Ａ】
2009064418.tif 000005
【図３Ｂ】
2009064418.tif 000006
【図３Ｃ】
2009064418.tif 000007
【図４Ａ】
2009064418.tif 000008
【図４Ｂ】
2009064418.tif 000009
【図５】
2009064418.tif 000010
【図６】
2009064418.tif 000011
【図７】
2009064418.tif 000012